(57)【要約】【課題】複数の室内機を有する多室形空気調和機おいては、暖房運転停止時（サーモＯＦＦ時）に電子膨張弁を熱交換器内部に冷媒が溜まり込まないように微小な開度で開いておき、僅かながらも室内熱交換器に冷媒を流すようにしており、自己室内機からの輻射熱による室内機周辺の雰囲気温度上昇やショートサーキットなどで本来検知するべき室温より高い温度を検知してしまい、使用者のいる居室の下部では室温が下がっているのにサーモＯＮする設定温度にならず、暖房運転を開始しないので使用者に不快感を与えるという課題を有していた。【解決手段】暖房運転を停止する所定の設定温度（サーモＯＦＦ点）と暖房運転を開始する所定の設定温度（サーモＯＮ点）を区別し、これらを適切にシフトさせることにより、暖房運転の早切れ、遅入れを防止することができるものである。【選択図】図２
2008261553.tif 000002
【特許請求の範囲】
【請求項１】
複数台の室内機を備え、ある室内機では暖房運転を行い、他の室内機においては運転を停止している場合に、停止している室内機は間欠的に送風運転を行いながら室内温度を計測する多室形空気調和機において、暖房運転を停止する所定の設定温度（サーモＯＦＦ点）と暖房運転を開始する所定の設定温度（サーモＯＮ点）とを区別し、暖房運転を開始する所定の設定温度（サーモＯＮ点）又は暖房運転を停止する所定の設定温度（サーモＯＦＦ点）のいずれか、あるいはその両方をそれぞれ所定の値だけシフトさせる制御手段を有することを特徴とする多室形空気調和機。
【請求項２】
使用者がリモコン等で設定した風量によって、暖房運転を停止する所定の設定温度（サーモＯＦＦ点）をシフトさせる制御手段を有することを特徴とする請求項１に記載の多室形空気調和機。
【請求項３】
室内の熱交換器温度を検知する手段を備え、検知した熱交換器の温度から吸込温度に与える影響を所定の算出式に則って算出し、その差分を暖房運転を開始する所定の設定温度（サーモＯＮ点）からシフトさせる割合を変化させる制御手段を有することを特徴とする請求項１又は２に記載の多室形空気調和機。
【請求項４】
居室内の床面から前記室内機までの高さを設定する手段を備え、この手段によって設定した天井高さによって、暖房運転を開始する所定の設定温度（サーモＯＮ点）をシフトさせる割合を変化させる制御手段を有することを特徴とする請求項１〜３のうちいずれか一項に記載の多室形空気調和機。
【請求項５】
前回暖房運転開始時にシフトさせた割合を記憶しておく記憶手段を備え、次回暖房運転開始後、記憶したシフト量に基づいて、暖房運転を停止させる所定の設定温度（サーモＯＦＦ点）をシフトさせる制御手段を有することを特徴とする請求項１〜４のうちいずれか一項に記載の多室形空気調和機。
【請求項６】
複数の室内機の中に天井埋め込み型室内機を含み、運転を停止している室内機が前記天井埋め込み型室内機であることを特徴とする請求項１〜５のうちいずれか一項に記載の多室形空気調和機。
【発明の詳細な説明】
【技術分野】
【０００１】
本発明は、複数の室内機を有する多室形空気調和機に関し、さらに詳しくは暖房サーモＯＦＦからサーモＯＮする際の判断と、暖房サーモＯＮからサーモＯＦＦする際の判断を適正化するようにした多室形空気調和機の制御に関するものである。
【背景技術】
【０００２】
従来、複数の室内機を有する多室形空気調和機おいては、暖房運転を行った後に任意に設定された温度に達して運転を停止（サーモＯＦＦ）させたとき、電子膨張弁を全閉にするのではなく、室内機の熱交換器内部に冷媒が溜まり込まないように微小な開度で開いておき、僅かながらも室内熱交換器に冷媒を流すようにしている。また、暖房運転を停止している間にも、次回暖房運転を開始する判断を行うのに吸込み空気温度を検知させるため、送風運転をしながら室温計測を行っている。この際の送風運転は停止号機としての運転であり、使用者に冷風感を与えてしまう恐れがあるため、間欠的に行い、且つ、風量の設定は低速設定で行うようにしている（例えば、特許文献１参照）。
【特許文献１】特開２００４―１４４３７７号公報
【発明の開示】
【発明が解決しようとする課題】
【０００３】
しかしながら、前記従来の構成では、暖房運転を停止している室内機において、僅かに流れている冷媒による室内熱交換器からの輻射熱による室内機周辺の雰囲気温度上昇や、特に天井埋め込み型の室内機においては、天井付近に溜まりこんだ暖気による温度上昇、さらに検知の際の送風運転が低速運転では吹出し側の風がそのまま吸込み側に回りこむ（ショートサーキット）現象が起きてしまい、本来検知するべき室温より高い温度を検知してしまうため、使用者のいる居室の下部では室温が下がっているのに使用者が設定したサーモＯＮする温度にならず、暖房運転を開始しないので使用者に不快感を与える可能性があった。
【０００４】
また、暖房運転を行っている室内機においても、室内ファンの低速運転では同様の影響で本来検知するべき室温より高い温度を検知してしまうため、使用者のいる居室の下部では室温が使用者が設定したサーモＯＦＦする値になっていないのにサーモＯＦＦする値になるまで室温が上昇したと判断して、暖房運転を停止してしまい、使用者に不快感を与える可能性があった。
【０００５】
本発明は、前記従来の課題を解決するもので、吸込み空気温度を検知する状況が異なる暖房運転時と停止時の吸込み空気温度と使用者の設定温度との違いを室内機に認識させ、暖房サーモＯＦＦ又はＯＮ状態からそれぞれサーモＯＮ又はＯＦＦする際の判断を適正化することができ、暖房運転の早切れや遅入りを抑制して空気調和の快適性を高める多室形空気調和機を提供することを目的とする。
【課題を解決するための手段】
【０００６】
前記従来の課題を解決するために本発明は、天井埋め込み型室内機を含めた複数台の室内機を備え、ある室内機では暖房運転を行い、天井埋め込み型室内機においては運転を停止している場合に、間欠的に送風運転を行いながら室内温度を計測する多室形空気調和機において、暖房運転を停止する所定の設定温度（サーモＯＦＦ点）と暖房運転を開始する所定の設定温度（サーモＯＮ点）を区別し、所定の条件ではサーモＯＮ点又はサーモＯＦＦ点のいずれか、あるいはその両方をそれぞれ所定の値だけシフトさせる制御手段を有するものである。
【０００７】
これにより、天井埋め込み型室内機の設置状態、使用者の設定状況に拘らず、暖房停止時の室内吸込み温度から適切なサーモＯＮ点とサーモＯＦＦ点を認識させ、暖房運転を開始又は停止するか否かを判断できるので、使用者の快適性を高めることができる。
【０００８】
また、使用者がリモコン等で設定した風量によって、暖房運転を停止する所定の設定温度（サーモＯＦＦ点）をシフトさせる制御手段を持つことを有するものである。
【０００９】
これにより、使用者の風量設定が低速運転である場合においても、暖房運転時の室内吸込み温度から適切なサーモＯＦＦ点を認識させ、暖房運転を停止するか否か判断できるので、使用者の快適性を高めることができる。
【００１０】
また、前回暖房運転開始時にシフトさせた割合を記憶しておく記憶手段を備え、記憶したシフト量に基づいて、次回暖房運転開始後、記憶したシフト量に基づいて、暖房運転を停止させる所定の設定温度（サーモＯＦＦ点）をシフトさせる制御手段を有するものである。
【００１１】
これにより、いかなる設置条件下においても、室内吸込み温度に与える影響を次回暖房運転時に生かすことができ、暖房運転中の室内吸込み温度から適切なサーモＯＦＦ点を認識させ、暖房運転を停止するか否か判断できるので、使用者の快適性を高めることができる。
【発明の効果】
【００１２】
本発明は、暖房運転を停止する所定の設定温度（サーモＯＦＦ点）と暖房運転を開始する所定の設定温度（サーモＯＮ点）を分けることにより、吸込み空気温度を検知する状況が異なる暖房運転時と停止時の吸込み空気温度と使用者の設定温度との違いを室内機に認識させ、暖房サーモＯＦＦ状態からサーモＯＮする際の判断を適正化することができ、空気調和の快適性を高めることができる。
【００１３】
また、暖房運転時に使用者の風量設定が低速運転である場合においても、暖房運転時の室内吸込み温度から適切なサーモＯＦＦ点を認識させ、暖房運転を停止するか否か判断できるので、使用者の快適性を高めることができる。
【００１４】
また、前回暖房運転開始時にシフトさせた割合を記憶し、次回暖房運転開始後、記憶したシフト量に基づいて、暖房運転を停止させる所定の設定温度（サーモＯＦＦ点）をシフトさせることにより、低速運転時の吸込み空気温度の違いを室内機に認識させ、暖房運転の早切れを防止することができ、さらに空気調和の快適性を高めることができる。
【００１５】
そして、特に、天井付近に溜まりこんだ暖気による温度上昇、さらに検知の際の送風運転が低速運転では吹出し側の風がそのまま吸込み側に回りこむ（ショートサーキット）現象が起きてしまい、本来検知するべき室温より高い温度を検知してしまう可能性が高い天井埋め込み型室内機において、設定温度をシフトさせることは有効であり、使用者の感覚に合わせて快適性を高めることができる。
【発明を実施するための最良の形態】
【００１６】
以下、本発明の実施の形態について、図面を参照しながら説明する。
【００１７】
（実施の形態１）
図１は本発明にかかる多室形空気調和機を示しており、１台の室外機２に対し複数台（図１では２台）の室内機４ａ、４ｂが冷媒配管により接続されている。室外機２には冷媒
配管により順次接続された圧縮機６と、四方弁８と、室外熱交換器１０と、室外膨張弁１２とが設けられる一方、各室内機４ａ、４ｂには、冷媒配管により順次接続された室内熱交換器１４ａ、１４ｂと室内膨張弁１６ａ、１６ｂが設けられており、複数台の室内機４ａ、４ｂは室外機２に対し並列に接続されている。
【００１８】
また、室外機２には、室外熱交換器１０に空気を送る室外ファン１８が設けられており、室内機４ａ、４ｂには、室内熱交換器１４ａ、１４ｂに空気を送る室内ファン２６ａ、２６ｂと、冷房あるいは除湿運転時における室内熱交換器１４ａ、１４ｂの冷媒蒸発温度あるいは暖房運転時における室内熱交換器１４ａ、１４ｂの冷媒凝縮温度を検知する室内熱交換器温度検知手段２８ａ、２８ｂと、室内ファン２６ａ、２６ｂに吸い込まれる室内温度を検知する室内温度検知手段３０ａ、３０ｂが設けられている。
【００１９】
上記構成の本発明にかかる多室形空気調和機において、冷房あるいは除湿運転時には、圧縮機６から吐出された冷媒が室外機２を経て室内機４ａ、４ｂに送られるように四方弁８は切り換えられる。
【００２０】
また、暖房運転時には、圧縮機６から吐出された冷媒が室内機４ａ、４ｂを経て室外機２に送られるように四方弁は切り換えられる。この際、室内機４ａ、４ｂに搭載された室内膨張弁１６ａ、１６ｂは全開状態にしており、冷凍サイクル上での絞り機構は室外膨張弁１２であり、これを適切な開度にして最適な冷凍サイクルを形成する。
【００２１】
多室形空気調和機全体として暖房運転を行っていて、ある室内機が停止している状態には、例えば、室外機２が暖房運転を行っていて、室内機４ａが停止し、室内機４ｂは暖房運転を行っている場合は、室内ファン２６ａは停止しているが、室内熱交換器１４ａ内部に冷媒が溜まり込まない程度に僅かな冷媒流量を確保するべく室内膨張弁１６ａを微小開度まで絞っている。
【００２２】
次に、本発明の実施の形態１にかかる、多室形空気調和機全体として暖房運転を行っていて、室内機４ａが停止している状態において、室内機４ａが吸込み温度を検知する時の動作を図２のフローチャートを参照しながら説明する。なお、以下では室内機４ａについて説明しているが、室内機４ｂや、図示していない３台以上の室内機を接続した場合の他の室内機において同様の選択がなされた場合も同様の制御が行われる。
【００２３】
まず、サーモＯＦＦ時に間欠的に室内吸込み温度計測を行うため所定時間の待機動作を行ったのち（ステップＳ１）、室内吸込み温度を計測するため室内ファン２６ａを低速運転にて動作させ、室内温度検知手段３０ａによって温度計測を行う（ステップＳ２）。次に、自己室内機のタイプが天井埋め込み型かどうかを判断すし（ステップＳ３）、天井埋め込み型の室内機の場合は天井付近に暖気が溜まりがちになるので、ここからさらに所定の値分だけ通常の使用者が設定した設定温度（以降、サーモＯＮ点と称する）に上乗せする（上乗せした温度もサーモＯＮ点と称する）（ステップＳ４）。そして、吸込み温度がサーモＯＮ点よりも小さいかどうかにより暖房運転開始の判断を行う（ステップＳ５）。サーモＯＮ点を下回れば室内機４ａは暖房運転開始が必要と判断し、室内膨張弁１６ａを開くとともに室内ファン２６ａを負荷に見合った速度で運転し、室内に暖気を供給する（ステップＳ６）。室内ファン２６ａは所定の時間だけ運転するが、その間にサーモＯＮ点を下回らなければ、暖房運転を開始せず、送風運転を停止し（ステップＳ７）、これ以降はステップＳ１に戻って上記の制御を繰り返す。
【００２４】
これにより、室内機における低速運転での室内吸込み温度計測においても、天井付近における暖気の溜まりこみの影響を考慮したサーモＯＮ点によって暖房運転を開始するか否かを判断することができ、居室の下部にいる使用者に不快感を与えず、空気調和を行うこ
とができる。
【００２５】
また、暖房運転のサーモＯＦＦ点における運転停止についてはフローチャートは示さないが、暖房運転中に計測した室内吸込み温度との比較において、サーモＯＦＦ点に所定の値を上乗せして、天井付近における暖気の溜まりこみの影響を考慮したサーモＯＦＦ点によって暖房運転を停止するか否かを判断することにより、居室の下部にいる使用者に不快感を与えず、空気調和を行うことができる。
【００２６】
特に、天井埋め込み型室内機においては、天井付近に溜まりこんだ暖気による温度上昇、さらに検知の際の送風運転が低速運転では吹出し側の風がそのまま吸込み側に回りこむ（ショートサーキット）現象が起きてしまい、本来検知するべき室温より高い温度を検知してしまう可能性が高いため、サーモＯＮ点又はサーモＯＦＦ点に所定の値を加えることは効果があるが、上乗せする値は同様の天井埋め込み型室内機によっても能力ランクは様々であり、室内膨張弁１６ａの微開によるところの室内熱交換器１４ａからの輻射熱にも差がある。これにより、室内温度検知手段３０ａに与える影響にも差があることから、汎用性を考慮し、個々の室内機ごとに予め実験的に決めた値を設定すると良い。
【００２７】
（実施の形態２）
次に、本発明の実施の形態２にかかる、暖房運転時、室内機が吸込み温度を検知する時の動作を図３のフローチャートを参照しながら説明する。なお、以下では室内機４ａについて説明しているが、室内機４ｂや図示していない他の室内機において同様の選択がなされた場合も同様の制御が行われる。
【００２８】
暖房運転中であり、室内吸込み温度計測のための室内ファン運転も行われているので、まず、室内温度検知手段３０ａによって温度計測を行う（ステップＳ１）。次に、自己室内機のタイプを判断する（ステップＳ２）。次に、使用者の風量設定を認識させる（ステップＳ３）。自己室内機が天井埋め込み型以外、あるいは低速設定以外であれば、吸込み温度と使用者が設定した設定温度との差が予め決定している所定の値（サーモＯＦＦ点）に基づいて暖房停止を判断し、サーモＯＦＦ点を上回れば暖房運転を停止するが、天井埋め込み型室内機で、低速設定であれば、天井付近の暖気の溜まりこみや、ショートサーキットの影響をふまえ、所定の値分だけ通常のサーモＯＦＦ点に値を上乗せし（ステップＳ４）、暖房運転を停止するかどうかを判断する（ステップＳ５）。所定の値分を加えたサーモＯＦＦ点を上回れば４ａは暖房運転停止が必要と判断し、室内膨張弁１６ａを微開まで閉じるとともに室内ファン２６ａを停止し、暖気の供給をストップする（ステップＳ６）。所定の値分を加えたサーモＯＦＦ点を下回った状態が続けば、ステップＳ１に戻って上記の制御を繰り返す。
【００２９】
これにより、特に、天井埋め込み型室内機における低速運転での室内吸込み温度計測においても、ショートサーキットの影響を考慮したサーモＯＦＦ点によって暖房運転を停止するか否かを判断して暖房運転の早切れを防止することができ、居室の下部にいる使用者に不快感を与えず、空気調和を行うことができる。
【００３０】
また、サーモＯＦＦ点から上乗せする値は同様の天井埋め込み型室内機によっても能力ランクは様々であり、暖房運転中の室内熱交換器１４ａからの輻射熱にも差がある。これにより、室内温度検知手段３０ａに与える影響にも差があることから、汎用性を考慮し、個々の室内機ごとに予め実験的に決めた値を設定すると良い。
【００３１】
（実施の形態３）
次に、本発明の実施の形態３にかかる、多室形空気調和機全体として暖房運転を行っていて、ある室内機が停止している状態において、室内機が吸込み温度を検知する時の動作
を図４のフローチャートを参照しながら説明する。なお、以下では室内機４ａについて説明しているが、４ｂや図示していない他の室内機において同様の選択がなされた場合も同様の制御が行われる。
【００３２】
まず、間欠的に温度計測を行うため所定時間の待機動作を行ったのち（ステップＳ１）、室内吸込み温度を計測するため室内ファン２６ａを低速運転にて動作させ、室内温度検知手段３０ａによって温度計測を行う（ステップＳ２）。次に、輻射熱による室内機周辺の温度上昇により室内温度検知手段３０ａに与える影響を算出するため室内熱交換器温度検知手段２８ａによって室内熱交換器の温度計測を行う（ステップＳ３）。この際、室内熱交換器温度が所定の温度を超えているかを判断し（ステップＳ４）、超えている場合はその所定の温度と現在の室内熱交換器温度との差温に基づいて所定の係数を乗じ、通常のサーモＯＮ点からのシフト量を決定する（ステップＳ５）。そして通常のサーモＯＮ点にこのシフト量を上乗せし（ステップ６）、この値を基に暖房運転を開始するかどうかを判断する（ステップＳ７）。吸込み温度が、通常のサーモＯＮ点にこのシフト量を上乗せした値を下回って小さい場合は暖房運転開始が必要と判断し、室内膨張弁１６ａを開くとともに室内ファン２６ａを負荷に見合った速度で運転し、室内に暖気を供給する（ステップＳ８）。室内ファン２６ａは所定の時間だけ運転するが、その間にサーモＯＮ点を下回らなければ、暖房運転を開始せず、送風運転を停止し（ステップＳ９）、これ以降はステップＳ１に戻って上記の制御を繰り返す。
【００３３】
これにより、各居室の負荷が異なる多室形空気調和機における、他室内機の影響による暖房運転停止機の過剰な熱交換器温度上昇による室内吸込み温度への影響を考慮したサーモＯＮ点によって暖房運転を開始するか否かを判断することができ、居室の下部にいる使用者に不快感を与えず、空気調和を行うことができる。
【００３４】
（実施の形態４）
次に、本発明の実施の形態４にかかる、多室形空気調和機全体として暖房運転を行っていて、ある室内機が停止している状態において、室内機が吸込み温度を検知する時の動作を図５のフローチャートを参照しながら説明する。なお、上述した内容については割愛して説明する。
【００３５】
まず、間欠的に温度計測を行うため所定時間の待機動作を行ったのち（ステップＳ１）、室内吸込み温度を計測するため室内ファン２６ａを低速運転にて動作させ、室内温度検知手段３０ａによって温度計測を行う（ステップＳ２）。次に、居室内の床面から前記室内機までの高さを設定する手段により現在の設置高さを室内機に認識させる（ステップＳ３）。
【００３６】
この際、居室内の床面から室内機４ａまでの高さが所定の高さを超えているかを判断し（ステップＳ４）、超えている場合は現在の設置高さと予め決定された所定の高さとの差温に基づいて所定の係数を乗じ、通常のサーモＯＮ点からのシフト量を決定する（ステップＳ５）。以降、実施の形態３と同様にステップ６〜９を行い、暖房運転を開始しない場合はステップＳ１に戻って上記の制御を繰り返す。
【００３７】
これにより、居室空間が広く、居室下部の雰囲気温度と天井付近との差が開きやすく、天井からの風量が届きにくい設置状態の室内機においても、この影響を考慮したサーモＯＮ点によって暖房運転を開始するか否かを判断することができ、居室の下部にいる使用者に不快感を与えず、空気調和することができる。
【００３８】
（実施の形態５）
次に、本発明の実施の形態５にかかる、多室形空気調和機全体として暖房運転を行って
いて、ある室内機が停止している状態において、室内機が吸込み温度を検知する時の動作を図６のフローチャートを参照しながら説明する。なお、上述した内容については割愛して説明する。
【００３９】
まず、実施の形態３、４同様に動作中、前回サーモＯＮ時に判断した、通常のサーモＯＮ点からシフトさせた量を記憶しておく（ステップＳ１）。次にサーモＯＮして暖房運転を開始した後は実施の形態２同様に、室内温度検知手段３０ａによって温度計測を行う（ステップＳ２）。そして前回運転停止時に判断したサーモＯＦＦ点シフト量をふまえ、所定の値分だけ通常のサーモＯＦＦ点に値を上乗せし（ステップＳ３）、暖房運転を停止するかどうかを判断する（ステップＳ４）。所定の値分を加えたサーモＯＦＦ点を上回れば室内機４ａは暖房運転停止が必要と判断し、室内膨張弁１６ａを微開まで閉じるとともに室内ファン２６ａを停止し、暖気の供給をストップする（ステップＳ５）。所定の値分を加えたサーモＯＦＦ点を下回った状態が続けば、ステップＳ２に戻って上記の制御を繰り返す。
【００４０】
これにより、前回運転停止中に決定したサーモＯＮ点シフト量をサーモＯＦＦ点シフト量に用いることにより、様々な使用条件の変動があっても、最新の周囲温度の状態を考慮したサーモＯＦＦ点によって暖房運転を停止するか否かを判断して暖房運転の早切れを防止することができ、居室の下部にいる使用者に不快感を与えず、空気調和することができる。
【産業上の利用可能性】
【００４１】
暖房サーモＯＦＦからサーモＯＮする際の判断と、暖房サーモＯＮからサーモＯＦＦする際の判断を適正化するようにした多室形空気調和機の制御は、天井埋め込み型室内機に限らず、天井に設置する室内機は同様の傾向があるため適用ができるのはもちろんのこと、天井に限らず、設置条件によって吸い込み空気温度が実際の室温とズレて異なるような場合に、それらに合わせて測定温度をシフトさせることは有用である。
【図面の簡単な説明】
【００４２】
【図１】本発明の第１の実施の形態におけるブロック図
【図２】本発明の第１の実施の形態におけるフローチャート
【図３】本発明の第２の実施の形態におけるフローチャート
【図４】本発明の第３の実施の形態におけるフローチャート
【図５】本発明の第４の実施の形態におけるフローチャート
【図６】本発明の第５の実施の形態におけるフローチャート
【符号の説明】
【００４３】
２  室外機
４ａ，４ｂ  室内機
６  圧縮機
８  四方弁
１０  室外熱交換器
１２  室外膨張弁
１４ａ，１４ｂ  室内熱交換器
１６ａ，１６ｂ  室内膨張弁
１８  室外ファン
２６ａ，２６ｂ  室内ファン
２８ａ，２８ｂ  室内熱交換器温度検知手段
３０ａ，３０ｂ  室内温度検知手段
【図１】
2008261553.tif 000003
【図２】
2008261553.tif 000004
【図３】
2008261553.tif 000005
【図４】
2008261553.tif 000006
【図５】
2008261553.tif 000007
【図６】
2008261553.tif 000008